(57)【特許請求の範囲】
【請求項１】
太陽電池の表面電極となるフィンガー電極およびバスバー電極をスクリーン印刷で形成するときに用いられるスクリーン印刷用メッシュ部材であって、このメッシュ部材は圧延金属箔にエッチングで孔開け加工されたものであり、フィンガー電極対応部では、横長型に形成された個々の孔が当該横長方向と直交する方向に列設され、当該横長方向長さが、印刷パターン予定部の幅より大きく、その端部が印刷パターン予定部の外側まで延びて形成されており、一方バスバー電極対応部では、同一形状の孔が縦方向および横方向に複数並んで配設されており、且つフィンガー電極対応部における開口面積率がバスバー電極対応部における開口面積率よりも大きく形成されたものであることを特徴とするスクリーン印刷用メッシュ部材。
【請求項２】
フィンガー電極対応部の開口面積率が６５〜８５％であり、バスバー電極対応部の開口面積率が２５〜７０％である請求項１に記載のスクリーン印刷用メッシュ部材。
【請求項３】
フィンガー電極対応部の開口面積率に対するバスバー電極対応部の開口面積率の比が、０．３０〜０．８０である請求項１または２に記載のスクリーン印刷用メッシュ部材。
【請求項４】
請求項１〜３のいずれかに記載のスクリーン印刷用メッシュ部材を備えて構成されるスクリーン印刷版。
【請求項５】
フィンガー電極対応部の印刷パターンの幅が３５〜７５μｍである請求項４に記載のスクリーン印刷版。
【発明の詳細な説明】
【技術分野】
【０００１】
本発明は、太陽電池の表面電極のスクリーン印刷に用いられるスクリーン印刷版およびこうしたスクリーン印刷版を構成するためのメッシュ部材（スクリーン印刷用メッシュ部材）に関するものであり、特に太陽電池の表面電極の印刷に用いられるスクリーン印刷において、太陽電池における変換効率を落とすことなく、使用する表面電極用銀ペーストの使用量を削減して貴金属資源の有効活用を促進すると共に、製造コストを抑えることのできるスクリーン印刷用メッシュ部材およびスクリーン印刷版に関するものである。
【背景技術】
【０００２】
太陽電池セルの表面電極には、集電用メイン電極（「バスバー電極」と呼ばれる）と集電用グリッド電極（「フィンガー電極」と呼ばれる）がある。これらの表面電極は、太陽電池セルの製造工程において導電性銀ペーストをスクリーン印刷することにより形成される。図１（図面代用写真）に、太陽電池セルの表面電極（バスバー電極およびフィンガー電極）の構成例を示す。
【０００３】
スクリーン印刷に使われるスクリーン印刷版には、金属または樹脂（例えば、ポリエステル）からなる細線を編んだメッシュ部材（以下、「細線メッシュ部材」と称す）が広く使用されており、このメッシュ部材の周縁に、ポリエステル細線を編んだメッシュ織物を接合させ（コンビネーションマスクとも呼ばれる）、最終的にはアルミ枠に固定し、更に印刷パターンを形成してスクリーン印刷版（以下、単に「印刷版」と呼ぶことがある）としている（図２）。また最近では、圧延金属箔にエッチング法で孔を開けた金属箔メッシュ部材も使用され始めている（例えば、特許文献１）。
【０００４】
図３は、スクリーン印刷に用いられている汎用印刷版の一部拡大説明図である。細線メッシュ部材[図３（ａ）]あるいは金属箔メッシュ部材［図３（ｂ）］をスクリーン枠（図示せず）に張った後、全面に樹脂（感光性乳剤）を塗布してからマスクで覆い、印刷しない部分（例えば、図３の「４」の部分）のみに露光して、感光性乳剤を硬化させ、次いで印刷したい部分（例えば、図３の「３」の部分）の感光性乳剤を除去し、４の部分のみを残し印刷版５を作製する（図中、１は線部、２はメッシュ部材の開口部（孔）を示す）。この感光性乳剤を除去した部分３を印刷パターンと呼ぶ。
【０００５】
図４に、細線メッシュ部材あるいは金属箔メッシュ部材を用いてスクリーン印刷を行うときの状態を模式的に示す。スキージ６を図の右から左へ移動させることにより、印刷パターン３（前記図３参照）の開口部（孔）２にペースト７を充填すると共に、印刷対象物８にペースト７を付着させる。スキージ６が通過した後は、印刷版の張力(テンション)により印刷版５(前記図３参照)と印刷対象物８が離れるが、ペースト７は印刷対象物８に残り、感光性乳剤が除去された印刷パターン通りに印刷される。
【０００６】
太陽電池の表面電極の形成に使用される印刷版は、メッシュ部材に感光性乳剤を塗布後、フィンガー電極とバスバー電極の配線形状を露光、現像し、次いで銀ペーストが透過する電極部分の感光性乳剤を除去して印刷パターンが作製される。圧延金属箔メッシュ部材にてフィンガー電極とバスバー電極の印刷パターンを形成した印刷版の構成例を図５に示す。
【０００７】
太陽電池の変換効率（光エネルギーから電気エネルギーへの変換効率）は、表面電極の面積と抵抗値に大きく左右されることになる。即ち、電極面積（平面視面積）は小さいほど、また抵抗値は小さいほど変換効率は向上する。
【０００８】
フィンガー電極は本数が多く、また電極部分は太陽光を遮るため、受光面積を大きくして太陽電池の変換効率を高めるためには、より細く印刷する必要がある。また電極を細くすることにより電極の抵抗値が下がると、太陽電池の変換効率が低下するため、幅を狭くした分だけ厚くして、電極の断面積を一定に保ち、抵抗値を低下させないように工夫する必要がある。
【０００９】
バスバー電極はフィンガー電極よりも更に低い抵抗値が求められるため、バスバー電極上に銅製のリボン（「タブ」と呼ばれている）をはんだ付けし、全体として低抵抗の電極体としている。タブの幅はバスバー電極の本数ごとにほぼ一定の幅となっており、例えば４本で構成される場合には１本当たり１０００μｍ程度、３本で構成される場合には１本当たり１５００μｍ程度、２本で構成される場合には１本当たり１８００μｍ程度の幅に設定され、バスバー電極の幅はタブの幅に合わせて印刷される。
【００１０】
バスバー電極では、タブにより低抵抗が実現されるため、印刷厚さは必要なく、タブがはんだ付けできる最低限の厚さがあれば良い。このタブは、太陽電池同士を直列につないで太陽電池モジュールとする際に、隣接する太陽電池間をつなぐ役割も担っている。タブによって、隣接する太陽電池セルを接続する状態を模式的に図６に示す。
【００１１】
フィンガー電極を細くより厚く印刷するには、印刷版のフィンガー電極対応部（前記図５では「フィンガー電極部」と表示）での開口面積率を高くする必要があり、細線メッシュ部材を用いた印刷版のフィンガー電極対応部の開口面積率は６０％程度に設定されている（例えば、特許文献２）。細線メッシュ部材で開口面積率をこれ以上大きくすると、幅が大きいバスバー電極対応部（前記図５では「バスバー電極部」と表示）でのメッシュ部材強度が不足し、印刷時にメッシュ破れが生じる。このため細線メッシュ部材では開口面積率を最大６０％程度に抑えることが一般的である。
【先行技術文献】
【特許文献】
【００１２】
【特許文献１】特開２０１１−１９４８８５号公報
【特許文献２】特開２００７−６２０７９号公報
【発明の概要】
【発明が解決しようとする課題】
【００１３】
細線メッシュ部材は、細線を一定の間隔で編んだものであるため、メッシュ部材の全ての領域での開口面積率が一定であり、領域によって開口面積率は変えられない。このためフィンガー電極対応部の開口面積率を大きくしてフィンガー電極を厚くしようとすると、必然的にバスバー電極も厚くなる。バスバー電極は、タブをはんだ付けするため厚さはそれほど必要なく、開口面積率の大きな印刷版でバスバー電極を印刷すると、いたずらに銀の使用量を増やすこととなる。現在、太陽電池で使用される銀ペーストに含まれる銀の量は、世界の銀の産出量の１０％弱といわれており、将来太陽電池の採算量が現在の１０倍以上となると、銀資源の枯渇が懸念される。
【００１４】
貴金属資源の有効活用の観点から、銀ペーストの使用量を減らすこと、すなわちバスバー電極の厚さを抑えて銀ペーストの使用量を減らすことが新たな課題となっている。銀ペーストの使用量を減らすことは、太陽電池の製造コストの低減にも結びつくため、発電コストの低減で太陽電池の普及にも大いに貢献することが期待される。太陽電池の製造コスト（シリコンウエハに電極を付けた太陽電池セルの製造コスト）に占める銀ペーストの比率は１０％程度と言われている。
【００１５】
本発明はこのような状況に鑑みてなされたものであって、その目的は、太陽電池としての性能を落とすことなく、使用する表面電極用銀ペーストの使用量を削減して貴金属資源の有効活用を促進すると共に、製造コストを抑えることのできるスクリーン印刷用メッシュ部材、およびスクリーン印刷版を提供することにある。
【課題を解決するための手段】
【００１６】
上記目的を達成することのできた本発明のスクリーン印刷用メッシュ部材は、太陽電池の表面電極となるフィンガー電極およびバスバー電極をスクリーン印刷で形成するときに用いられるスクリーン印刷用メッシュ部材であって、このメッシュ部材は圧延金属箔にエッチングで孔開け加工されたものであり、フィンガー電極対応部では、横長型に形成された個々の孔が当該横長方向と直交する方向に列設され、当該横長方向長さが、印刷パターン予定部の幅より大きく、その端部が印刷パターン予定部の外側まで延びて形成されており、一方バスバー電極対応部では、同一形状の孔が縦方向および横方向に複数並んで配設されており、且つフィンガー電極対応部における開口面積率がバスバー電極対応部における開口面積率よりも大きく形成されたものであることを特徴とする。
【００１７】
本発明のスクリーン印刷用メッシュ部材においては、フィンガー電極対応部の開口面積率が６５〜８５％であり、バスバー電極対応部の開口面積率が２５〜７０％であることが好ましい。また、フィンガー電極対応部の開口面積率に対するバスバー電極対応部の開口面積率の比が、０．３０〜０．８０であることが好ましい。
【００１８】
上記のようなスクリーン印刷用メッシュ部材を備えて構成されるスクリーン印刷版では、太陽電池の表面電極の印刷に用いられるスクリーン印刷において、太陽電池としての性能を落とすことなく、使用する表面電極用銀ペーストの使用量を削減して貴金属資源の有効活用を促進すると共に、製造コストを抑えるこができるものとなる。このスクリーン印刷版においては、フィンガー電極対応部の印刷パターンの幅が３５〜７５μｍであることが好ましい。
【発明の効果】
【００１９】
本発明のメッシュ部材によれば、圧延金属箔にエッチングで孔開け加工されたものとし、フィンガー電極対応部およびバスバー電極対応部における開口面積率の関係を規定するようにしたので、太陽電池としての性能を落とすことなく、ペースト使用量の削減を実現するスクリーン印刷用メッシュ部材、およびこうしたスクリーン印刷用メッシュ部材を備えて構成されるスクリーン印刷版が実現できる。
【図面の簡単な説明】
【００２０】
【図１】太陽電池セルの表面電極（バスバー電極およびフィンガー電極）の構成例を示す図面代用写真である。
【図２】スクリーン印刷に使われるスクリーン印刷版の構成例を示す概略説明図である。
【図３】スクリーン印刷に用いられている汎用印刷版の一部拡大説明図である。
【図４】細線メッシュ部材あるいは圧延金属箔メッシュ部材を用いてスクリーン印刷を行うときの状態を模式的に示す説明図である。
【図５】圧延金属箔メッシュ部材にてフィンガー電極対応部とバスバー電極対応部の印刷パターンを形成した印刷版の構成例を示す概略説明図である。
【図６】タブによって、隣接する太陽電池セルを接続する状態を模式的に示す説明図である。
【図７】フィンガー電極対応部に形成される孔形状例を示す概略説明図である。
【図８】バスバー電極対応部に形成される孔形状例を示す概略説明図である。
【図９】開口面積率を説明するための図（図７対応説明図）である。
【図１０】開口率比（開口面積率比）とペースト重量との関係を示すグラフである。
【発明を実施するための形態】
【００２１】
本発明者らは、上記目的を達成すべく、様々な角度から検討した。その結果、メッシュ部材でのフィンガー電極対応部の開口面積率をバスバー電極対応部の開口面積率よりも大きくし、すなわち銀ペーストの透過量を高めてフィンガー電極を細く厚く印刷しながら、且つバスバー電極対応部からの銀ペースト透過量を制御して必要以上に高くならないようにすることにより、太陽電池としての性能を落とすことなく、ペースト使用量の削減を実現できることを見出し、本発明を完成した。
【００２２】
フィンガー電極とバスバー電極の印刷厚さを変えるためには、メッシュ部材の段階でフィンガー電極対応部とバスバー電極対応部の開口面積率を変える必要がある。すなわちフィンガー電極対応部は、開口面積率をバスバー電極部の開口面積率よりも大きく形成する。圧延金属箔にエッチングで孔開けして得られるメッシュ部材では、エッチングのパターンを自由に設定できるため、フィンガー電極対応部とバスバー電極対応部で開口面積率を変えることが可能となる。既に述べたように、細線メッシュ部材では、部分的に開口面積率を変えることはできず、フィンガー電極対応部とバスバー電極対応部で開口面積率を変えることは、圧延金属箔のメッシュ部材を用いたスクリーン印刷版を使用することにより初めて可能となる。
【００２３】
尚、フィンガー電極対応部とは、スクリーン印刷した後にフィンガー電極となるメッシュ部材対応部分を意味し、バスバー電極対応部は、スクリーン印刷した後にバスバー電極となるメッシュ部材対応部分を意味する。また印刷パターン予定部とは、スクリーン印刷する段階で印刷パターンが設定されるメッシュ部材対応部分を意味するが、この部分を説明の便宜上「印刷パターン部」と呼ぶことがある。
【００２４】
高い開口面積率を達成するためには、印刷パターン部内（即ち、印刷パターン予定部内）にできるだけメッシュの線部が存在しない形とする必要がある。本発明のメッシュ部材では、フィンガー電極対応部での孔形状を横長型に形成された個々の孔が当該横長方向と直交する方向に列設されたもののとし、この横長方向の長さを印刷パターン予定部の幅より大きく形成し、その端部が印刷パターン予定部の外側まで延びで形成することにより、６５〜８５％の高い開口面積率を得ることを実現した。こうした孔形状（開口形状）を図７に示す［図７（ａ）は、略長方形のもの、図７（ｂ）は、楕円形のものを示す］。尚、フィンガー電極対応部での孔形状は、上記の要件を満足するものであればよく、図示した略長方形または楕円形に限定されない。
【００２５】
図７に示した孔形状は、印刷パターンの長手方向（図７の上下方向）にメッシュの線部が存在しないため、メッシュが変形しやすく、線部の幅を７５μｍ以下の細い印刷パターン部の幅でのみ使用することができる。但し、フィンガー電極対応部の印刷パターン部の幅が３５μｍ以下となるとペーストの吐出が抑えられ、その結果として電極の断線が実用上問題となるため、フィンガー電極対応部の印刷パターン部の幅は３５〜７５μｍとすることが好ましい。より好ましくは、４０μｍ以上、７０μｍ以下である。
【００２６】
一方、バスバー電極対応部では、同一形状の孔が縦方向および横方向に複数並んで配設される。このときの孔形状は、一般的にメッシュ部材で使用されている正方形、長方形、六角形あるいは円形であればよいが、これらに限定されない。こうした孔形状（開口部形状）の例を、図８に示す［図８（ａ）〜図８（ｄ）］。図８には、代表的な孔形状である上記した正方形、長方形、六角形および円形を夫々示した。
【００２７】
バスバー電極対応部で上記のような孔形状を持つメッシュ部材では、強度的に満足できるものとなるため、開口面積率を２５〜７０％（より好ましくは３０〜６５％）としても、一般的なバスバー電極の幅である１０００〜２０００μｍ程度に作製しても不都合なく使用可能である。バスバー電極対応部での開口面積率が７０％よりも大きくとなると、印刷時にメッシュ部材の破れが発生しやすくなる。また開口面積率が２５％よりも小さくなると、印刷後のバスバー電極に印刷かすれが生じ、フィンガー電極との接続が不安定になると共に、タブのはんだ付けにも不具合が生じる。
【００２８】
上記開口面積率とは、例えば図９（図７対応説明図）に示すように、孔（開口部）を形成した領域とそれ以外の領域との境界（点線で示す）を、孔の端部を基準として設定し、点線で囲まれた領域内での孔（開口部）の面積割合（平面視面積率：％）を意味する。尚、図９では、フィンガー電極対応部（図では「フィンガー電極部」と表示）での開口面積率の場合を示したが、バスパー電極対応部での開口面積率の場合においても同様にして計算する。
【００２９】
本発明のメッシュ部材では、フィンガー電極対応部の開口面積率をバスバー電極対応部の開口面積率よりも大きくできるのであるが、フィンガー電極対応部の開口面積率に対するバスバー電極部の開口面積率の比（「バスバー／フィンガー」、以下単に「開口率比」と呼ぶことがある）は、０．３０〜０．８０であることが好ましい。この開口率比が０．３０よりも小さくなると、スクリーン印刷の際に銀ペーストの量が少なくなり過ぎて、印刷かすれが生じやすくなる。また開口率比が０．８０よりも大きくなると、銀ペースト量の低減効果が得られにくくなる。開口率比のより好ましい下限は０．４０以上であり、より好ましい上限は０．７０以下である。
【００３０】
フィンガー電極対応部の開口面積率とバスバー電極対応部の開口面積率を変えてメッシュ部材を作製し、これらを備えて印刷版を構成し、この印刷版を用いて印刷試験を行ったときの電極に形成された銀ペーストの重量を測定した。
【００３１】
このときメッシュ部材には、厚さ２５μｍのステンレス圧延箔（日本金属株式会社製、ＳＵＳ３０１）を圧延金属箔として使用した。圧延金属箔にレジストを塗布し、フィンガー電極対応部とバスバー電極対応部で孔形状および開口面積率が変わるように孔を配列し、印刷したパターンを描画したガラスマスクを使って露光後、現像した。その後エッチングにより、孔を開ける部分の圧延金属箔を溶かし、圧延金属箔に孔を開けたメッシュ部材を作製した。
【００３２】
メッシュ部材の孔の形状は、フィンガー電極対応部ではコーナー部に丸みを帯びた略長方形とし（前記図７（ａ）参照）、バスバー電極対応部ではコーナー部に丸みを帯びた正方形とした。孔と孔の間隔（ピッチ）は、フィンガー電極対応部とバスバー電極対応部ともに１００μｍとした。フィンガー電極対応部の開口面積率とバスバー電極対応部の開口面積率を夫々独立して変えた複数のメッシュ部材（圧延金属箔メッシュ部材）を作製した。このときフィンガー電極対応部での孔の大きさ（図７（ａ）に示した略長方形の長辺の長さ）は、フィンガー電極対応部での印刷パターン幅（後記表１、２）よりも大きくなるように７５〜３５０μｍの範囲で設定した。
【００３３】
メッシュ部材のスキージ面側と印刷面側の開口の面積をマイクロスコープ（株式会社キーエンス製、型式ＶＨＸ−２０００）で測定し（孔の形態によっては、両面で面積率が異なる）、各面での開口面積率を平均したものを開口面積率とした。また、面積率の測定は、いずれの領域（フィンガー電極対応部およびバスバー電極対応部）においても、均等となるように５箇所（例えばフィンガー電極対応部では、中央１箇所と４隅の４箇所）について、上記と同様に測定し、平均化した。
【００３４】
樹脂メッシュをメッシュ部材の周辺に付けたコンビネーションマスクとし、感光性乳剤を塗布後、フィンガー電極対応部とバスバー電極対応部に印刷パターン部を形成して印刷版を作製した。これらの印刷版を用いてスクリーン印刷を行い、印刷されたペースト重量を測定した。ペーストは、太陽電池の表面電極用銀ペースト（京都エレックス株式会社製、品名ＤＤ−１２００Ｍ−２００）を使用した。印刷は、東海精機株式会社製スクリーン印刷装置（型式ＳＳＡ−ＰＣ２５０）を使用し、印刷条件を印圧１０ｋｇｆ、クリアランス１ｍｍ、印刷速度２００ｍｍ／ｓｅｃとして、太陽電池用多結晶ウエハ（外形寸法１５６×１５６ｍｍ）に印刷した。
【００３５】
スクリーン印刷前および印刷後に、太陽電池ウエハの重量を電子天秤（研精工業株式会社製、型式ＨＲ−１２０）で測定し、印刷されたペースト重量を求めた。印刷版でのフィンガー電極対応部およびバスバー電極対応部の印刷パターン部の幅をマイクロスコープ（株式会社キーエンス製、型式ＶＨＸ−２０００）で測定した。
【００３６】
このときペーストの透過性を確保するため、フィンガー電極対応部での開口面積率はできるだけ大きくなるように、６６〜８４％の範囲に設定した。またフィンガー電極対応部の印刷パターン部の幅は３０〜７１μｍに設定した。フィンガー電極の本数は、太陽電池で標準的に使われている範囲である７２〜１００本に設定した。
【００３７】
バスバー電極対応部での開口面積率は、できるだけ小さくするとの観点から、２０％以上、７２％以下に設定した。バスバー電極対応部での印刷パターン部の幅は、バスバー電極の本数が２本の場合に１本当たり１７００〜１８００μｍに、バスバー電極の数が３本の場合に１本当たり１４５０〜１５００μｍに設定した。
【００３８】
その結果を、下記表１、２に示す。下記１、２では、フィンガー電極対応部の開口面積率に対するバスバー電極対応部の開口面積率の比（開口率比）の順に、試験Ｎｏ．を付けている。また、この結果に基づき、開口率比とペースト重量との関係を図１０に示す。尚、表１において「−」で示した欄は、バスバー電極対応部（図１０では「バスバー電極部」と表示）でメッシュ破れが生じたことを意味する。
【００３９】
【表１】
0005433051.tif 000002
【００４０】
【表２】
0005433051.tif 000003
【００４１】
これらの結果から、次のように考察できる。開口率比が１から０．８０まではペースト重量はほぼ一定値となるが、開口率比が０．８０より小さくなるとペースト重量は減少し、コストダウン効果が期待でできる。更に、好ましくは開口率比を０．７０以下とすることで、大きなコストダウン効果を得ることが可能となる。但し、開口率比が０．３０よりも小さくなると（試験Ｎｏ．４０、４１）、バスバー電極に印刷かすれが認められた。試験Ｎｏ．４０でバスバー電極対応部の開口面積率が２０％、試験Ｎｏ．４１でバスバー電極対応の開口面積率が２１％となっており、これらの開口面積率では印刷かすれが避けがたい。
【００４２】
開口率比が０．８０を超え、且つバスバー電極対応部の開口面積率が７０％を超えると、スクリーン印刷時に印刷版のバスバー電極対応部のメッシュ部材に破れが生じ（試験Ｎｏ．２、５）、印刷実験が行えない印刷版があった。こうした観点から、バスバー電極対応部の開口面積率は７０％以下とすることが好ましい。
【００４３】
これに対し、開口率比を０．３０〜０．８０の範囲とするメッシュ部材（試験Ｎｏ．１０〜３９）では、フィンガー電極対応部でのメッシュの断線は観察されず、またバスバー電極のかすれも観察されず良好な電極となっている。加えて印刷時のバスバー電極対応部におけるメッシュ部材の破れも見られない。
【実施例】
【００４４】
以下、本発明を実施例によって更に詳細に説明するが、下記実施例は本発明を限定する性質のものではなく、前・後記の趣旨に適合し得る範囲で適当に変更して実施することも可能であり、それらはいずれも本発明の技術的範囲に含まれる。
【００４５】
下記表３に示した仕様のスクリーン印刷版（試験Ｎｏ．４２、４３）を用いて、実際の太陽電池を作製して変換効率を測定した。作製した太陽電池のフィンガー電極およびバスバー電極の実際の幅と厚さをレーザ顕微鏡（株式会社キーエンス製、型式ＶＫ９７００）により測定した。その結果を、下記表４に示す。
【００４６】
【表３】
0005433051.tif 000004
【００４７】
【表４】
0005433051.tif 000005
【００４８】
試験Ｎｏ．４２では、開口率比が０．９１の印刷版を用いて各電極（フィンガー電極およびバスバー電極）を形成しており、試験Ｎｏ．４３では、開口率比０．５７の印刷版を用いて各電極を形成している。ペースト重量は夫々２３２．０ｍｇ（試験Ｎｏ．４２）、１９０．１ｍｇ（試験Ｎｏ．４３）と大きく異なるが、変換効率は夫々１６．４％、１６．５％とほぼ同レベルであり、ペースト重量が削減された状態で太陽電池としての性能を維持していることが分かる。
【００４９】
これはフィンガー電極の幅、厚さが両者でほぼ同じであることと、バスバー電極の幅がほぼ同一で厚さが大きく異なることで実現されている。すなわちフィンガー電極対応部とバスバー電極対応部で、孔形状および開口面積率を変えることができる圧延金属箔メッシュ部材を用いた印刷版の有用性が明確に認められる。
【符号の説明】
【００５０】
１  線部
２  孔（開口部）
３  印刷パターン部
５  スクリーン印刷版
６  スキージ
８  印刷対象物
【図２】
0005433051.tif 000006
【図３】
0005433051.tif 000007
【図４】
0005433051.tif 000008
【図８】
0005433051.tif 000009
【図９】
0005433051.tif 000010
【図１】
0005433051.tif 000011
【図５】
0005433051.tif 000012
【図６】
0005433051.tif 000013
【図７】
0005433051.tif 000014
【図１０】
0005433051.tif 000015